(57)【要約】【課題】鏡餅を台座と屏風とにより飾ることができ、しかも鏡餅を台座と屏風とに一体化させて取り扱い易くでき、鏡餅が台座上で位置ずれせず、且つ鏡餅をより本物らしい形状で飾ることが可能な画期的な飾り具を提供するものである。【解決手段】鏡餅形容器１に餅を収納した飾り鏡餅２の底部を飾る飾り座となる底板部３に、前記飾り鏡餅２の背部を飾る屏風となる立板部４を設け、前記底板部３には開口部５を設け、この開口部５の下側から前記飾り鏡餅２を挿通して前記飾り鏡餅２の底部フランジ部６が前記開口部５の周辺裏面に係止して上方へ通り抜け止めされるように前記開口部５の形状を設定して、前記飾り鏡餅２を前記開口部５から上方に突き出し状態にして前記底板部３で底部を飾り前記立板部４で背部を飾った状態で戴置した飾り鏡餅２を持ち上げることで前記底板部４及び前記立板部３が持ち上がるようにり鏡餅２と立板部４及び底板部３を一体化した構成としたものである。【選択図】        図１
2005021515.tif 000002
【特許請求の範囲】
【請求項１】
鏡餅形容器に餅を収納した飾り鏡餅の底部を飾る飾り座となる底板部に、前記飾り鏡餅の背部を飾る屏風となる立板部を設け、前記底板部には開口部を設け、この開口部の下側から前記飾り鏡餅を挿通して前記飾り鏡餅の底部フランジ部が前記開口部の周辺裏面に係止して上方へ通り抜け止めされるように前記開口部の形状を設定して、前記飾り鏡餅を前記開口部から上方に突き出し状態にして前記底板部で底部を飾り前記立板部で背部を飾った状態で戴置した飾り鏡餅を持ち上げることで前記底板部及び前記立板部が持ち上がるようにり鏡餅と立板部及び底板部を一体化した構成としたことを特徴とする飾り具。
【請求項２】
前記立板部は、前記底板部の後縁部に設けた折り縁を介して連設状態に形成して、前記折り縁により前記立板部を前記底板部に対して垂直状態に立設し、飾り鏡餅の背部を飾ることができるように構成し、前記底板部の下側に前記鏡餅を載置する載置板を重合状態に設けたことを特徴とする請求項１記載の飾り具。
【請求項３】
前記底板部の端縁部に設けた折り縁を介して前記載置板を底板部に連設状態に設けたことを特徴とする請求項２記載の飾り具。
【請求項４】
前記立板部の左右に前記飾り鏡餅の背部左右側面を飾る左右延長部を設け、この左右の左右延長部の底縁部の折り縁を介して前記飾り鏡餅の底面又は前記底板部若しくは前記載置板の底面に折り曲げ配置する底面折り曲げ部を設け、この左右の底面折り曲げ部を連結したことを特徴とする請求項１〜３のいずれか１項に記載の飾り具。
【発明の詳細な説明】
【０００１】
【発明の属する技術分野】
本発明は、飾り具に関するものである。
【０００２】
【従来の技術及び発明が解決しようとする課題】
現在、正月用の鏡餅は、例えば特許第３３６４４３４号のように、鏡餅形の容体内に餅等の内容物を収納してこの鏡餅の底部開口部をシート材で閉塞したものが広く普及している。また、前記鏡餅を載置する飾り具も特許第３３６９５４０号のような三方や、特許第３３８５０１１号のような屏風付き台座が考案されており、前記特許第３３６９５４０号の三方が複雑な組み立て作業を要するのに対し、前記特許第３３８５０１１号の台座付き屏風は台座と屏風を一体化させて組み立て作業を容易にし、鏡餅を台座と屏風で飾ることを可能にした点で画期的な発明であった。
【０００３】
しかしながら、このような鏡餅とその飾り具とは別体であるために、台座に鏡餅を載置すると、台座上の鏡餅が固定されずに鏡餅が台座上で位置ずれしたり、飾り付けの際に鏡餅の向きを気にしなくてはならない等の欠点があった。
【０００４】
また、鏡餅の底部開口部のシート材を開閉しやすいように、鏡餅形の容体の底部にフランジを設けたりしているが、この底部フランジにより鏡餅の本物らしさが損なわれるという問題があった。
【０００５】
また、鏡餅の底部と台座とを接着剤で固定させることにより、台座上での鏡餅の位置ずれ等を防ぐことも考えられるが、この接着剤によって、鏡餅の底部開口部のシート材が剥がしにくくなる等の問題も生じていた。
【０００６】
そこで、本発明は鏡餅を台座と屏風とにより飾ることができ、しかも鏡餅を台座と屏風とに一体化させて取り扱い易くでき、鏡餅が台座上で位置ずれせず、且つ鏡餅をより本物らしい形状で飾ることが可能な画期的な飾り具を提供することが技術的課題である。
【０００７】
【課題を解決するための手段】
添付図面を参照して本発明の要旨を説明する。
【０００８】
鏡餅形容器１に餅を収納した飾り鏡餅２の底部を飾る飾り座となる底板部３に、前記飾り鏡餅２の背部を飾る屏風となる立板部４を設け、前記底板部３には開口部５を設け、この開口部５の下側から前記飾り鏡餅２を挿通して前記飾り鏡餅２の底部フランジ部６が前記開口部５の周辺裏面に係止して上方へ通り抜け止めされるように前記開口部５の形状を設定して、前記飾り鏡餅２を前記開口部５から上方に突き出し状態にして前記底板部３で底部を飾り前記立板部４で背部を飾った状態で戴置した飾り鏡餅２を持ち上げることで前記底板部４及び前記立板部３が持ち上がるようにり鏡餅２と立板部４及び底板部３を一体化した構成としたことを特徴とする飾り具に係るものである。
【０００９】
また、前記立板部４は、前記底板部３の後縁部に設けた折り縁ａを介して連設状態に形成して、前記折り縁ａにより前記立板部４を前記底板部３に対して垂直状態に立設し、飾り鏡餅２の背部を飾ることができるように構成し、前記底板部３の下側に前記鏡餅２を載置する載置板７を重合状態に設けたことを特徴とする請求項１記載の飾り具に係るものである。
【００１０】
また、前記底板部３の端縁部に設けた折り縁ｂを介して前記載置板７を底板部３に連設状態に設けたことを特徴とする請求項２記載の飾り具に係るものである。
【００１１】
また、前記立板部４の左右に前記飾り鏡餅２の背部左右側面を飾る左右延長部４Ａを設け、この左右の左右延長部４Ａの底縁部の折り縁ｃを介して前記飾り鏡餅２の底面又は前記底板部３若しくは前記載置板７の底面に折り曲げ配置する底面折り曲げ部８を設け、この左右の底面折り曲げ部８を連結したことを特徴とする請求項１〜３のいずれか１項に記載の飾り具に係るものである。
【００１２】
【発明の実施の形態】
好適と考える本発明の実施の形態（発明をどのように実施するか）を、図面に基づいてその作用効果を示して簡単に説明する。
【００１３】
例えば、飾り鏡餅形容器１底部に底部フランジ部６を配設した飾り鏡餅２を、屏風である立板部４と、底部飾り座であって開口部５を設けた底板部３とからなる飾り具で飾る場合、立板部４を設けた底板部３に開口部５を設け、飾り鏡餅２を前記開口部５に挿通させて、該開口部５の周辺裏面に前記底部フランジ部６が配されるように載置することで、台座となる前記底板部３により前記飾り鏡餅２の下部を飾ることができ、屏風となる前記立板部４により前記飾り鏡餅２の背部を飾ることができることとなる。
【００１４】
また、底部フランジ部６を開口部５周辺裏面に配設させたので、飾り鏡餅２を掴み上げれば、前記底部フランジ部６が前記開口部５周辺裏面に係止して、底板部３と立板部４とが前記飾り鏡餅２と共に持ち上げられることとなる。
【００１５】
即ち、飾り鏡餅２と底板部３と立板部４とが一体化できることによって、前記飾り鏡餅２を掴んで全体を一体物として持ち上げできるため、持ち運びが容易となり、取り扱い性に秀れたものとなる。
【００１６】
また、底部フランジ部６を開口部５周辺に係止させたので、飾り鏡餅２を底板部３に設けた前記開口部５に固定できることとなり、前記飾り鏡餅２が前記底板部３上で位置ずれしなくなる。
【００１７】
さらに、底板部３上に飾り鏡餅２を載置する場合のように、前記飾り鏡餅２の底部と前記底板部３とを接着剤等の粘着物質で固定する必要がなくなり、前記飾り鏡餅２の底部開口部９のシート材１０が剥がしにくくなるといったことがない。
【００１８】
さらに、底部フランジ部６を開口部５周辺裏面に係止したことによって、前記底部フランジ部６が底板部３の裏面に隠れることとなり、前記底板部３の表面に、より本物らしい形状の飾り鏡餅２が前記底板部３と立板部４とによって飾られることとなる。
【００１９】
【実施例】
本発明の具体的な実施例について図面に基づいて説明する。
【００２０】
本実施例は、飾り鏡餅２の下部を飾り座となる底板部３で飾り、背部を屏風となる立板部４で飾った飾り具である。各部の構成を具体的に説明する。
【００２１】
飾り鏡餅２は、鏡餅形容器１の底部に底部開口部９を形成したもので、該底部開口部９から前記鏡餅形容器１内部に餅などの内容物を収納しえるように構成している。具体的には、餅などの内容物を入れた前記鏡餅形容器１の前記底部開口部９の開口縁に底部フランジ部６を設け、該底部フランジ部６にシート材１０を止着して前記鏡餅形容器１を閉塞している。
【００２２】
底板部３および該底板部３に連設した立板部４は、飾り鏡餅２を飾るために周囲に配設される板材である。具体的には、表面を金色や紅色等に彩色した紙製の板材を採用し、前記底板部３により前記飾り鏡餅２の底部を飾り、前記立板部４により飾り鏡餅２の背部を飾っている。
【００２３】
また、底板部３は、鏡餅形容器１の底部開口部９の形状よりも若干大きく且つ底部フランジ部６の形状よりも小さい面積を切り抜くことにより、開口部５を設けている。
【００２４】
また、立板部４は前記底板部３の後縁部に折り縁ａを設けて連設しており、具体的には、折り縁ａを介して前記底板部３に対して垂直状態に立設した構成としている。
【００２５】
本実施例は、前記飾り鏡餅２を、前記底板部３に設けた前記開口部５の裏側から上方へ挿通させたので、前記飾り鏡餅２の前記底部フランジ部６が前記開口部５周辺裏面に係止されると同時に、上方へ挿通した前記飾り鏡餅２は、台座となる前記底板部３で下部を飾ることができ、さらには前記底板部３に垂直状態に連設されて屏風となる前記立板部４で前記飾り鏡餅２の背部を飾ることができることとなる。
【００２６】
また、前記底部フランジ部６を前記開口部５周辺裏面に配設させたので、前記飾り鏡餅２を掴み上げれば、前記底部フランジ部６が前記開口部５の周辺裏面に係止して、前記底板部３と前記立板部４とが前記飾り鏡餅２と共に持ち上げられることとなる。
【００２７】
即ち、前記飾り鏡餅２と前記底板部３と前記立板部４とが一体化できることによって、前記飾り鏡餅２を掴んで全体を一体物としてが持ち上げできるため、持ち運びが容易となり、取り扱い性に秀れたものとなる。
【００２８】
また、前記底部フランジ部６を前記開口部５周辺裏面に配設したので、前記飾り鏡餅２を前記底板部３に設けられた前記開口部５に固定できることとなり、前記飾り鏡餅２が前記底板部３上で位置ずれしなくなる。
【００２９】
さらに、底板部３上に飾り鏡餅２を載置する場合のように、前記飾り鏡餅２の底部と前記底板部３とを接着剤等の粘着物質で固定する必要がなくなり、前記飾り鏡餅２の底部開口部９のシート材１０が剥がしにくくなるといったことがない。
【００３０】
また、底部フランジ部６を開口部５周辺裏面に係止したことによって、前記底部フランジ部６が底板部３の裏面に隠れることとなり、前記底板部３の表面に、より本物らしい形状の飾り鏡餅２が前記底板部３と前記立板部４とによって飾られることとなる。
【００３１】
載置板７は、飾り鏡餅２の底部に配設されて前記飾り鏡餅２の載置台となる板材である。
【００３２】
具体的には、飾り鏡餅２が載置される面とは反対側の面を金色や紅色等に彩色した紙製の板材を採用し、底板部３の前縁部の折り縁ｂを介して載置板７を前記底板部３と重合状態となるように折り畳んだ構成としている。
【００３３】
即ち、前記飾り鏡餅２の飾り座となる前記底板部３と屏風となる前記立板部４と載置台となる前記載置板７とは、一枚の紙製板材を折り畳むといった単純な方法によって形成できることとなる。つまり、折り縁ａを介して前記底板部３に対して垂直状態に前記立板部４が形成でき、折り縁ｂを介して前記底板部３に対して重合状態に前記載置板７が形成できることとなる。
【００３４】
従って、例えば、底板部３と立板部４と載置板７とが別体である場合のように、接着剤や接着テープ等の粘着物質よる底板部３と立板部４と載置板７の連設若しくは接着の必要がなくなり、連設若しくは接着に要するコストや手間が無くなる。
【００３５】
また、前記接着剤や接着テープ等の粘着物質によって形成される接着層や繋ぎ目を少なくできるので、飾り具全体の強度が高くなり、見た目も良好となる。
【００３６】
また、底板部３と載置板７との折り畳み重合によって飾り鏡餅２の底部を上下方向から押さえつけて挟持できるので、前記飾り鏡餅２と、底板部３と立板部４と載置板７によりなる飾り具とを、より確実に一体化できることとなり、従って、前記飾り鏡餅２を掴むことによってのみでなく、前記底板部３と前記載置板７とからなる底板座を掴むことによっても全体を一体物としてが持ち上げできるため、持ち運びが容易となり、取り扱い性がさらに秀れたものとなる。
【００３７】
本実施例では、前記載置板７の後縁部の一点を接着テープ１４により前記立板部４の下縁部に連結させている。このように、一枚の板材によって形成した前記底板部３と前記立板部４と前記載置板７とは、該載置板７の後縁部を前記立板部４の下縁部に１点若しくは数点連結させることで、前記底板部３と前記載置板７によりなる飾り鏡餅２の底部座の強度を向上でき、より確実に前記飾り鏡餅２を挟持できることとなる。
【００３８】
左右延長部４Ａは、底板部３に対して垂直状態になるように配設される板材で、立板部４に連設されて飾り鏡餅２の背部左右側面を飾る部位である。具体的には、金色や紅色等に彩色した紙製の板材を採用している。
【００３９】
底面折り曲げ部８は、前記左右延長部４Ａの底縁部の折り縁ｃを介して連設される板材で、この底面折り曲げ部８を前記飾り鏡餅２の底面又は前記底板部３若しくは前記載置板７の底面に折り曲げ配置してこの底面折り曲げ部８の左右を固定する構成としている。
【００４０】
本実施例では、前記底面折り曲げ部８を前記飾り鏡餅２の底面に左右から折り曲げて、前記底面折り曲げ部８に設けた下端部の切り込み同士を係止することにより連結している。
【００４１】
このように、左右の底面折り曲げ部８を連結することで、該底面折り曲げ部８に連設される前記左右延長部４Ａが固定されることとなり、従って、立板部４と前記左右延長部４Ａとによる屏風が底板部３や載置板７や飾り鏡餅２の底部に対して固定されるので、屏風の形状を常に一定の状態に保つことができて、且つ強度が高い飾り具となる。
【００４２】
尚、前記左右の底面折り曲げ部８の連結は、折り曲げた重合部分を切り込み掛止しして連結したり、粘着物質で貼着したり、あるは当接部分を粘着物質で連結してもよい。
【００４３】
さらに、上記のように折り曲げ配置して連結した左右の底面折り曲げ部８を、例えば接着剤等を用いて飾り鏡餅２底部の一部分若しくは載置板７の一部分に固定することで、前記飾り鏡餅２の底部と立板部４と前記載置板７との一体性がより向上して、前記飾り鏡餅２を掴んでも底板部３が浮くことがなくなる。
【００４４】
上述した飾り鏡餅２は、如何様にも飾ることができる。
【００４５】
本実施例では、飾り鏡餅２の上段に橙等の樹脂模型１１をホットメルト等の粘着物質を介して載置し、キャップ型の透明カバー１２を採用し、この橙等の樹脂模型１１と鏡餅形容器１の上段を覆っている。さらに前記飾り鏡餅２の中段に水引１３を設けている。
【００４６】
尚、前記飾り鏡餅２に被せるキャップ型の前記透明カバー１２の高さを、立板部４および左右延長部４Ａの高さより若干高く形成することで、複数個の飾り具をトレーに並べて店頭に陳列する場合、この複数個の飾り具が並べられた前記トレーの上にさらに同様のトレーを複数枚積み重ねることができるようになる。即ち、上段のトレーの荷重が、下段に並べられたキャップ型の前記透明カバー１２に掛かって、変形しやすい立板部４若しくは左右延長部４Ａに荷重がかかることがなくなるので、前記立板部４若しくは前記左右延長部４Ａが変形することなくトレーを積み重ねて陳列することが可能となる。
【００４７】
【発明の効果】
本発明は上述のように構成したから、飾り鏡餅を台座と屏風とにより飾ることができ、飾り鏡餅２を台座と屏風とに一体化させて取り扱い易くでき、飾り鏡餅が台座上で位置ずれせず、さらに、前記飾り鏡餅２の底部フランジ部６と前記底板部３とを接着剤等で固定する必要がないので、飾り鏡餅２の底部シート剤が剥がしにくくなることがなく、尚且つ前記底部フランジ部６が底板部３の下面に隠れるため、鏡餅２をより本物らしい形状で飾ることが可能な画期的な飾り具となる。
【００４８】
また、請求項２，３記載の発明によれば、飾り鏡餅２を載置板７で支えることができ、前記載置板７と底板部３との折り畳み重合により飾り鏡餅２を挟持して底板部３と立板部４と載置板７とからなる飾り具と飾り鏡餅２とを一体化でき、飾り鏡餅２若しくは底板部３と載置板７とからなる底板座を掴んで、全体が持ち上がることとなり、取り扱い性がさらに秀れた飾り具となる。
【００４９】
また、前記飾り鏡餅２の飾り座となる底板部３と屏風となる立板部４と載置台となる載置板７とを一枚の紙製板材から折り畳みにより形成できるので、これらを連設したり、接着したりするために要するコストや手間が掛からず、強度が高く、且つ見た目も良好な飾り具となる。
【００５０】
また、請求項４記載の発明によれば、左右延長部４Ａの左右に、底面折り曲げ部８を設け、この底面折り曲げ部８を底面に折り曲げ配置してこの底面折り曲げ部８の左右を連結することで、立板部４と前記左右延長部４Ａとによる屏風が底板部３や載置板７や飾り鏡餅２の底部に対して固定されるので、屏風の形状を常に一定の状態に保つことができて、且つ強度が高い飾り具となる。
【図面の簡単な説明】
【図１】本実施例の全体斜視図である。
【図２】本実施例の裏側から見た斜視図である。
【図３】本実施例の載置板７を折り返す前の斜視図である。
【図４】本実施例の載置板７を折り返す前の下側からみた斜視図である。
【図５】本実施例の分解斜視図である。
【図６】本実施例の飾り鏡餅２と一体化する飾り具（底板部３と立板部４と載置板７の
）展開平面図である。
【符号の説明】
１  鏡餅形容器
２  飾り鏡餅
３  底板部
４  立板部
５  開口部
６  底部フランジ部
７  載置板
８  底面折り曲げ部
４Ａ  左右延長部
ａ  折り縁
ｂ  折り縁
ｃ  折り縁
【図１】
2005021515.tif 000003
【図２】
2005021515.tif 000004
【図３】
2005021515.tif 000005
【図４】
2005021515.tif 000006
【図５】
2005021515.tif 000007
【図６】
2005021515.tif 000008